(57)【特許請求の範囲】
【請求項１】
レピア織機に適用され、給糸側のガラス繊維又は炭素繊維の繊維束である緯糸を受取側から進出して受け取った後に、前記受取側に前記緯糸を引き通すキャリアレピアのレピアヘッドであって、
前記キャリアレピアの前記給糸側に位置するフック部と、
前記受取側から前記フック部の内壁に向かうように設けられ、前記フック部の内壁と挟み込むことで前記緯糸を狭持する狭持部材と、
前記フック部の先端部が位置する側の前記狭持部材の表面に基端部分が位置し、先端部分が給糸側に向かう突部とを有し、
前記突部の先端は、前記狭持部材から離れる方向で前記フック部との間に間隙を形成するように前記フック部の先端部の近傍に向かい、
前記突部と前記狭持部材との間に前記緯糸から解れた前記緯糸の一部を収容可能な隙間を形成したことを特徴とするキャリアレピアのレピアヘッド。
【請求項２】
前記突部は、可撓性を有する板材であることを特徴とする請求項１に記載のキャリアレピアのレピアヘッド。
【請求項３】
前記突部と前記狭持部材との間に形成された前記隙間には、弾性体が設けられていることを特徴とする請求項１に記載のキャリアレピアのレピアヘッド。
【請求項４】
一側が前記レピア織機に接続されるロッドと、前記ロッドの他側に設けられる請求項１〜３のいずれか一項記載のレピアヘッドとによって構成されていることを特徴とするキャリアレピア。
【請求項５】
請求項４に記載のキャリアレピアを用いて緯入れを行うことを特徴とする織布の製織方法。
【発明の詳細な説明】
【０００１】
【発明の属する技術分野】
本発明は、キャリアレピアのレピアヘッド、それを備えたキャリアレピア、及びそのキャリアレピアを用いた織布の製織方法に関する。
【０００２】
【従来の技術】
一般に、レピア織機用のキャリアレピアに備えられたレピアヘッドは、先端部分に設けられたフック部と狭持部材とによって構成されている。そして、上記キャリアレピアを備えたレピア織機は、給糸側から受取側へ繊維束である緯糸を搬送するインサートレピアが狭持した緯糸を、キャリアレピアの先端部分に付設されたフック部と狭持部材とで狭持して受け取り、受け取った緯糸を受取側へ搬送することで織布の緯入れを行う。
【０００３】
【発明が解決しようとする課題】
現在、製織工程のコストダウンを図るために、緯糸の番手を大きくして織り密度を下げた織布や、引き抜き成形用の織布等の緯糸が太い織布の要求がある。しかしながら、上記従来技術においては、インサートレピアによって搬送されてきた緯糸をキャリアレピアで受け取った後、キャリアレピアをインサートレピアから引き離すと、緯糸が太い場合、緯糸を完全に狭持しきれず、繊維束である緯糸が糸割れを起こし、一部の繊維が解れてしまう。このため、解れた繊維が、織布の受取側端部まで搬送されず、キャリアレピアとインサートレピアとで緯糸の受け渡しを行う箇所から、織布の受取側の端部までのキャリアレピアの搬送部分において、解れた繊維が織布内に残存してしまい、織布が不良品となってしまう。また、繊維が解れて織布内に残存してしまうことにより、テンションが不均一となる部分が経糸に生じ、経糸が切れてしまうといった問題も生じる。
【０００４】
本発明の目的は、繊維束である緯糸が糸割れを起こし、一部の繊維が解れた場合であっても、解れた繊維を織布内に残すことなく織布の端部まで搬送できるレピア用のレピアヘッド、キャリアレピア及びそれを用いた織布の製織方法を提供することである。
【０００５】
【課題を解決するための手段】
本発明は、レピア織機に適用され、給糸側のガラス繊維又は炭素繊維の繊維束である緯糸を受取側から進出して受け取った後に、受取側に前記緯糸を引き通すキャリアレピアのレピアヘッドであって、キャリアレピアの給糸側に位置するフック部と、受取側からフック部の内壁に向かうように設けられ、フック部の内壁と挟み込むことで緯糸を狭持する狭持部材と、フック部の先端部が位置する側の狭持部材の表面に基端部分が位置し、先端部分が給糸側に向かう突部とを有し、突部の先端は、狭持部材から離れる方向でフック部との間に間隙を形成するようにフック部の先端部の近傍に向かい、突部と狭持部材との間に緯糸から解れた緯糸の一部を収容可能な隙間を形成したことを特徴とするものである。
【０００６】
以上のような本発明において、突起の先端が、狭持部材から離れる方向でフック部との間に間隙を形成するようにフック部の先端部の近傍に向かい、突部と狭持部材との間に緯糸を収容可能な隙間を形成するように、狭持部材の表面に突起を設けたことで、フック部の内壁と狭持部材とで狭持された繊維束である緯糸が、完全に狭持されずに糸割れを起こし、一部の繊維が解れてしまった場合であっても、解れた繊維が突部に当たって係止され、フック部に留めることができ、緯糸の糸割れにより解れた繊維が、突部と狭持部材との間の隙間に収容されるように入り込むことができる。このため、緯入れの際に、緯糸における一部の繊維を織布内に残すことなく、確実に織布の端部まで搬送させることが可能となる。
【０００９】
更に好ましくは、突部は、可撓性を有する板材である。これにより、緯糸の受け渡し時のフック部への進入の際、緯糸が突部上を通過するときは突部が撓んで緯糸のフック部への進入をスムーズにさせ、緯糸が突部を通過した後は元の状態に戻り、緯糸の逆行を防ぐことができる。
【００１０】
突部と狭持部材との間に形成された隙間には、弾性体が設けられていてもよい。これにより、突部に付勢力を作用させことができ、緯糸の受け渡し時のフック部への進入の際、緯糸が突部上を通過するときは突部が撓んで緯糸のフック部への進入をスムーズにさせ、緯糸が突部を通過した後は付勢力によって元の状態に戻り、緯糸の逆行を効果的に防ぐことができる。
【００１１】
本発明のキャリアレピアは、一側がレピア織機に接続されるロッドと、ロッドの他側に設けられる上記いずれかのレピアヘッドとによって構成されていることを特徴とするものである。
【００１２】
以上のような本発明において、キャリアレピアに上記のようなレピアヘッドを備えたため、緯糸の糸割れにより解れた繊維がフック部から離れることを防止し、解れた繊維を織布内に残存させることなく緯入れを行うことが可能となる。
【００１３】
本発明の織布の製織方法は、上記キャリアレピアを用いて緯入れを行うことを特徴とするものである。
【００１４】
このように上記キャリアレピアを用いて緯入れを行うことにより、緯糸の糸割れにより解れた繊維がフック部から離れることがないため、緯糸が織布に残存することがなく、製品としての所望の織布を製織することができる。
【００１５】
【発明の実施の形態】
以下、本発明に係るキャリアレピアのレピアヘッド、キャリアレピア及びそれを用いた織布の製織方法の好適な実施形態について図面を参照して説明する。尚、実施形態の説明において、同一符号は同一要素を示している。
【００１６】
図１は、本実施形態による、レピア織機の概略図である。同図において、受取側には、接続点Ｐにおいてキャリアレピア１と接続されたレピア織機２ａが備えられ、給糸側には、インサートレピア９と接続されたレピア織機２ｂが備えられている。ここで、受取側とは、緯糸１０が引き通される側であり、給糸側とは、織布に対して受取側の反対に位置し、緯糸１０が給糸される側である。
【００１７】
キャリアレピア１は、一側（図中左側）がレピア織機２ａに接続されるロッド３を受取側に備え、給糸側にはロッド３の他側（図中右側）に設けられたレピアヘッド４が備えられている。このようなキャリアレピア１は、給糸側に接続されたレピア織機２ｂからのインサートレピア９によって搬送されてきた緯糸１０を、受取位置ｌ1において受け取り、織布の受取側端部まで引き通すことで緯入れを行う。なお、緯糸１０は、ガラス繊維、炭素繊維等からなる繊維束である。
【００１８】
次に、図２及び図３を参照して、本実施形態によるキャリアレピア１のレピアヘッド４を詳細に説明する。
【００１９】
図２は、本実施形態によるキャリアレピアを示す側面図であり、図３は、図２に示すキャリアレピアが緯糸を狭持している状態を示す側面図である。これらの図において、レピアヘッド４は、給糸側にフック部５が形成されている。フック部５の基端付近には、受取側からフック部５の内壁６に向かって延びる狭持部材７が、例えばビス８によって取り付けられており、ビス８の軸周りに回転可能となっている。狭持部材７は、通常状態でフック部５の内壁６と当接しており、フック部５に備えられたバネ等による付勢力に抗して図面に対し略下方に動いてフック部５の内壁６と離間するようになっている。このようなキャリアレピア１は、インサートレピア９によって搬送されてきた緯糸１０を、狭持部材７とフック部５の内壁６とで狭持して受け取り（図３参照）、受取側まで搬送を行う。
【００２０】
また、狭持部材７には、その表面に基端部分１４ｂが固定され、先端部分１４ａがフック部５の先端部５ａの近傍に向かっている突部１４が設けられている。この突部１４は可撓性を有する板材からなっており、狭持部材７との間には隙間が形成されている。この突部１４は、ばね鋼板等からなり、溶接、接着剤、ビス等によって狭持部材７に固定される。また、狭持部材７上の突部１４の固定位置は、緯糸１０の種類、番手に応じて選定される。
【００２１】
以上のように構成したレピアヘッド４においては、先端部分がフック部５の先端部の近傍に向かっている突部１４を狭持部材７上に設けたことで、緯糸１０を狭持して受取側に引き通す際に、繊維束である緯糸１０が糸割れを起こし、一部の繊維１０ａが解れてしまっても、図４に示すように、解れた繊維１０ａが突部１４に当たって係止され、フック部５に留めることができる。
【００２２】
また、従来のキャリアレピアを適用したレピア織機で、例えば１０００ｔｅｘ以上である太い緯糸（繊維束）を用いて製織する場合、緯糸（繊維束）を完全に狭持するためにレピアヘッドを大きくする必要があるが、レピアヘッドを大きくすると、その分キャリアレピアの先端が重くなるため、キャリアレピアの緯入れ時の往復運動をスムーズに行うことができない等の問題が生じる。また、従来のレピア織機では、番手変更の際にキャリアレピアの切り替えも必要となる。しかし、本発明のレピア織機においては、本実施形態のように突部１４を設けたことで、緯糸１０を完全に狭持できず一部の繊維１０ａが解れても、その繊維１０ａを突部１４により係止し、フック部５に留めることができるため、太い緯糸であっても対応することができ、キャリアレピアの切り替えが不要となる。
【００２３】
図５は、狭持された緯糸の一部の繊維が解れた状態を示す図である。同図に示すように、突部１４と狭持部材７との間に隙間１６が形成されるように突部１４を設けたので、緯糸１０の糸割れによる解れた繊維１０ａが、隙間１６に収容されるように入り込むため、より確実に係止することができる。
【００２４】
更に、突部１４を、可撓性を有する板材としたことで、緯糸１０をフック部５に狭持させるときには、図面に対して下方に撓んで緯糸１０をスムーズに通過させ、緯糸１０が突部１４を通過した後は元の状態に戻り、緯糸１０の逆行を防ぐことができる。
【００２５】
図６は、キャリアレピアの他の形態を示す側面図である。同図に示すキャリアレピア２０は、図２〜図５に示すキャリアレピア１における狭持部材７と突部１４との間に形成された隙間１６に、狭持部材７と突部１４との少なくとも一方に接続されたバネ２１を設けたものである。このようにバネ２１を設けることで、例えば可撓性を有していない突部であっても、付勢力を作用させることができ、上記した突部１４を可撓性を有する板材としたときと同様の効果を得ることができる。尚、隙間１６には、バネに限らずスポンジ状のものやゴム等の弾性体を設けてもよい。
【００２６】
上記各実施形態によるキャリアレピア１（２０）を適用したレピア織機での織布の製織は、給糸側の緯糸１０を受取側からキャリアレピア１（２０）を進出させて受け取った後、受取側に緯糸１０を引き通すことにより行う。上記キャリアレピア１（２０）を適用して緯入れを行うことにより、緯糸１０の糸割れによる解れた繊維１０ａがフック部５から離れることがないため（図４参照）、緯糸１０を織布内に残すことなく織布の端部まで搬送させることができ、不良品の発生を低減させることができる。
【００２７】
尚、このレピア織機は、キャリアレピア１（２０）が緯糸１０を織布の給糸側の端部で受け取り、受取側の端部まで引き通す片側レピア織機であってもよいし、給糸側からインサートレピア９によって搬送された緯糸１０を、織布の中央付近においてキャリアレピア１（２０）で受け取って、受取側の端部まで引き通す両側レピア織機であってもよい。片側レピア織機の場合、インサートレピア９が不要であるため、給糸側の省スペース化を図れる。一方、両側レピア織機の場合、キャリアレピア１（２０）の搬送距離が片側レピア織機の場合の約半分となるため、片側レピア織機に比べ高速で緯入れを行うことができる。
【００２８】
以上、本発明を実施形態に基づき具体的に説明したが、本発明は上記実施形態に限定されるものではい。例えば、本実施形態ではロッド３にレピアヘッド４が設けられたロッドタイプであるが、これには限定されず、板バネ状のバンドにレピアヘッド４を設け、カム構造等によって巻き付け可能なバンドタイプであってもよい。
【００２９】
【発明の効果】
本発明によれば、レピアヘッドに備えられた狭持部材との間に緯糸を収容可能な隙間を形成するように、狭持部材の表面に先端部分が給糸側に向かう突部を設けたので、繊維束である緯糸が糸割れを起こし、一部の繊維が解れた場合であっても、その解れた繊維を係止して織布の端部まで搬送することが可能となる。
【図面の簡単な説明】
【図１】本発明のレピア織機の概略図である。
【図２】本発明のキャリアレピアを示す側面図である。
【図３】図２に示すキャリアレピアが緯糸を狭持している状態を示す側面図である。
【図４】本発明のキャリアレピアにおける、狭持された緯糸の一部の繊維が解れた状態を示す図である。
【図５】本発明のキャリアレピアにおける、狭持された緯糸の一部の繊維が解れた状態を示す図である。
【図６】本発明によるキャリアレピアの他の形態を示す側面図である。
【符号の説明】
１…キャリアレピア、２ａ，２ｂ…レピア織機、３…ロッド、４…レピアヘッド、５…フック部、５ａ…先端部、６…内壁、７…狭持部材、８…ビス、９…インサートレピア、１０…緯糸、１０ａ…繊維、１４…突部、１４ａ…先端部分、１４ｂ…基端部分、１６…隙間、２０…キャリアレピア、２１…バネ（弾性体）。
【図１】
0004102064.tif 000002
【図２】
0004102064.tif 000003
【図３】
0004102064.tif 000004
【図４】
0004102064.tif 000005
【図５】
0004102064.tif 000006
【図６】
0004102064.tif 000007